(57)【要約】【課題】印刷用紙の縦横、表裏、上下のいずれの方向の位置で搬送された場合においても、搬送された印刷用紙に付与されている識別情報を確実に読み取り、読み取った識別情報と当該識別情報が付与された印刷用紙に印刷されたコンテンツとの正当性を判別して、機密情報の漏洩を防止し、情報セキュリティーが強化された印刷装置および印刷用紙および情報読取装置を安価に提供する。【解決手段】印刷用紙に印刷用紙固有の識別情報をそれぞれ異なる位置に複数付与し、この複数付与された識別情報の内の少なくとも１つの識別情報を読み出し、読み出した識別情報と、当該識別情報が付与された印刷用紙に印刷するコンテンツとを対応つけて管理し、識別情報がそれぞれ異なる位置に複数付与された印刷用紙に印刷されたコンテンツを読み取り、読み取ったコンテンツと当該コンテンツの印刷された印刷用紙の識別情報とを比較判別する。【選択図】  図１
2004284053.tif 000002
【特許請求の範囲】
【請求項１】
複数の識別情報がそれぞれ異なる位置に付された印刷用紙を蓄積する印刷用紙蓄積手段と、
前記印刷用紙蓄積手段から取り出した印刷用紙から前記複数の識別情報の内の少なくとも１つの識別情報を読み出す識別情報読出手段と、
前記印刷用紙蓄積手段から取り出した印刷用紙に対して所望の情報を印刷して出力する印刷手段と、
前記識別情報読出手段で前記印刷用紙から読み出した識別情報と前記印刷手段で該印刷用紙に印刷した所望の情報とを対応付けて記憶管理する記憶管理手段と
を具備することを特徴とする印刷装置。
【請求項２】
前記印刷用紙は、
該印刷用紙の搬送方向に読出し可能な位置に付された第１の識別情報と、
該印刷用紙の搬送方向と直交する方向に読出し可能な位置に付された第２の識別情報
が少なくとも付されていることを特徴とする請求項１記載の印刷装置。
【請求項３】
前記複数の識別情報は、
前記印刷用紙に漉き込まれた細線状もしくは薄膜状もしくはその他の形状の磁性材により形成されている
ことを特徴とする請求項１記載の印刷装置。
【請求項４】
前記複数の識別情報は、
それぞれ同一である
ことを特徴とする請求項１記載の印刷装置。
【請求項５】
印刷用紙を蓄積する印刷用紙蓄積手段と、
前記印刷用紙蓄積手段から取り出した印刷用紙に対して複数の識別情報をそれぞれ異なる位置に付与する識別情報付与手段と、
前記識別情報付与手段により前記複数の識別情報が付与された印刷用紙に対して所望の情報を印刷して出力する印刷手段と、
前記識別情報読出手段で前記印刷用紙に付与した識別情報と前記印刷手段で該印刷用紙に印刷した所望の情報とを対応付けて記憶管理する記憶管理手段と
を具備することを特徴とする印刷装置。
【請求項６】
前記識別情報付与手段は、
前記印刷用紙に対してその搬送方向に読出し可能に形成した第１の識別情報と、
該印刷用紙の搬送方向と直交する方向に読出し可能に形成した第２の識別情報と
を付与することを特徴とする請求項５記載の印刷装置。
【請求項７】
前記識別情報付与手段は、
前記印刷用紙に対して細線状もしくは薄膜状もしくはその他の形状の磁性材を前記印刷用紙に付することにより前記識別情報を付与する
ことを特徴とする請求項５記載の印刷装置。
【請求項８】
前記複数の識別情報は、
それぞれ同一である
ことを特徴とする請求項５記載の印刷装置。
【請求項９】
印刷装置により所望の情報が印刷される印刷用紙であって、
複数の識別情報がそれぞれ異なる位置に付されている
ことを特徴とする印刷用紙。
【請求項１０】
前記複数の識別情報は、
該印刷用紙の搬送方向に読出し可能な位置に付された第１の識別情報と、
該印刷用紙の搬送方向と直交する方向に読出し可能な位置に付された第２の識別情報
を含むことを特徴とする請求項９記載の印刷用紙。
【請求項１１】
前記複数の識別情報は、
漉き込まれた細線状もしくは薄膜状もしくはその他の形状の磁性材により形成される
ことを特徴とする請求項９記載の印刷用紙。
【請求項１２】
前記複数の識別情報は、
それぞれ同一である
ことを特徴とする請求項９記載の印刷用紙。
【請求項１３】
複数の識別情報がそれぞれ異なる位置に付された印刷用紙に印刷された情報を読み取る情報読取装置であって、
前記印刷用紙から該印刷装置に印刷された情報を読み取る情報読取手段と、
前記情報読取手段による前記印刷用紙からの情報の読取に際して、該印刷用紙に付された複数の識別情報の内の少なくとも１つの識別情報を読み出す識別情報読出手段と、
前記情報読取手段により読み取った情報と前記識別情報読取手段で読み取った識別情報とを比較して該印刷用紙に印刷された情報の正当性を判別する判別手段と
を具備することを特徴とする情報読取装置。
【請求項１４】
前記印刷用紙は、
該印刷用紙の搬送方向に読出し可能な位置に付された第１の識別情報と、
該印刷用紙の搬送方向と直交する方向に読出し可能な位置に付された第２の識別情報
が少なくとも付されていることを特徴とする請求項１３記載の情報読取装置。
【請求項１５】
前記複数の識別情報は、
前記印刷用紙に漉き込まれた細線状もしくは薄膜状もしくはその他の形状の磁性材により前記印刷用紙に付されている
ことを特徴とする請求項１３記載の情報読取装置。
【請求項１６】
前記複数の識別情報は、
それぞれ同一である
ことを特徴とする請求項１３記載の情報読取装置。
【発明の詳細な説明】
【０００１】
【発明の属する技術分野】
本発明は、印刷装置および印刷用紙および情報読取装置に関し、特に複数の識別情報がそれぞれ異なる位置に付された印刷用紙と、この印刷用紙が縦横、表裏、上下のそれぞれの方向の位置で印刷装置および情報読取装置へ給紙された場合においても、印刷用紙に付与された識別情報が確実に読み取れるような印刷装置および印刷用紙および情報読取装置に関する。
【０００２】
【従来の技術】
近年、コンピュータや複合機およびネットワークの普及により、膨大な情報の中から所望の情報を容易に取得し、取得した情報を印刷、複写することが可能となっている。
【０００３】
そこで、情報が不正に複写もしくは印刷されて機密情報が漏洩することを防止するために情報のセキュリティーを強化した種々の装置や方法が提案されている。
【０００４】
例えば、特許文献１に示されるように、印刷装置が印刷する過程で用紙に記載されているバーコードや無線式データキャリアの固有の識別番号を読み取り、この読み取った識別番号に応じて複写可否の情報をデータベースに記録するような印刷装置が提案されている。
【０００５】
この提案では、用紙に記載されている固有の識別番号がバーコードや無線式データキャリアで記載されているために、これらの識別番号を読み取るに際しては、バーコードや無線式データキャリアで形成された識別番号と、この識別番号を読み取る手段とが１対１にそれぞれ対向して配置されている。
【０００６】
【特許文献１】
特開２００１−２６５１８３号公報
【発明が解決しようとする課題】
ところで、上記の提案された印刷装置においては、情報を印刷用紙に印刷する際に、印刷用紙の識別番号を読み取る手段と予め固有の識別番号が付されている印刷用紙とを対向するような位置に合わせて設置する必要がある。
【０００７】
また、印刷用紙を給紙トレイに設置するに際しては、印刷用紙の縦横、表裏の方向の位置を誤った位置で設置した場合には、この印刷装置の識別番号を読み取る手段が印刷用紙の識別番号を読み取ることができずに印刷不可とするような不具合が発生する問題があった。
【０００８】
上記に述べたような問題を解決する方法としては、印刷用紙の縦横、表裏のいずれの方向の位置で設置した場合においても印刷用紙の識別番号が読み取れるように、識別番号の読み取り手段を複数配置することで問題は解決可能である。
【０００９】
しかし、このような方法では装置が複雑になるだけではなく、無線式データキャリアやバーコード読み取り装置および無線式データキャリア読み取り装置等が高価であるために、印刷用紙や印刷装置のコストが高くなるという問題があった。
【００１０】
そこで、この発明は、印刷用紙の縦横、表裏、上下のいずれの方向の位置で印刷装置および情報読取装置へ搬送された場合においても、搬送された印刷用紙に付与されている印刷用紙固有の識別情報を確実に読み取り、読み取った識別情報と当該識別情報が付与された印刷用紙に印刷するコンテンツもしくは読み取った識別情報と当該識別情報が付与された印刷用紙に印刷されたコンテンツとの正当性を判別することにより、機密情報の漏洩を防止し、情報セキュリティーが強化された印刷装置および印刷用紙および情報読取装置を安価に提供することを目的とする。
【００１１】
【課題を解決するための手段】
上記目的を達成するため請求項１の発明の印刷装置は、複数の識別情報がそれぞれ異なる位置に付された印刷用紙を蓄積する印刷用紙蓄積手段と、前記印刷用紙蓄積手段から取り出した印刷用紙から前記複数の識別情報の内の少なくとも１つの識別情報を読み出す識別情報読出手段と、前記印刷用紙蓄積手段から取り出した印刷用紙に対して所望の情報を印刷して出力する印刷手段と、前記識別情報読出手段で前記印刷用紙から読み出した識別情報と前記印刷手段で該印刷用紙に印刷した所望の情報とを対応付けて記憶管理する記憶管理手段とを具備することを特徴とする．
また、請求項２の発明は、請求項１の発明の印刷装置において、前記印刷用紙は、該印刷用紙の搬送方向に読出し可能な位置に付された第１の識別情報と、該印刷用紙の搬送方向と直交する方向に読出し可能な位置に付された第２の識別情報とが少なくとも付されていることを特徴とする。
【００１２】
また、請求項３の発明は、請求項１の発明の印刷装置において、前記複数の識別情報は、前記印刷用紙に漉き込まれた細線状もしくは薄膜状もしくはその他の形状の磁性材により形成されていることを特徴とする。
【００１３】
また、請求項４の発明は、請求項１の発明の印刷装置において、前記複数の識別情報は、それぞれ同一であることを特徴とする。
【００１４】
また、請求項５の発明の印刷装置は、印刷用紙を蓄積する印刷用紙蓄積手段と、前記印刷用紙蓄積手段から取り出した印刷用紙に対して複数の識別情報をそれぞれ異なる位置に付与する識別情報付与手段と、前記識別情報付与手段により前記複数の識別情報が付与された印刷用紙に対して所望の情報を印刷して出力する印刷手段と、前記識別情報読出手段で前記印刷用紙に付与した識別情報と前記印刷手段で該印刷用紙に印刷した所望の情報とを対応付けて記憶管理する記憶管理手段とを具備することを特徴とする。
【００１５】
また、請求項６の発明は、請求項５の発明の印刷装置において、前記識別情報付与手段は、前記印刷用紙に対してその搬送方向に読出し可能に形成した第１の識別情報と、該印刷用紙の搬送方向と直交する方向に読出し可能に形成した第２の識別情報とを付与することを特徴とする。
【００１６】
また、請求項７の発明は、請求項５の発明の印刷装置において、前記識別情報付与手段は、前記印刷用紙に対して細線状もしくは薄膜状もしくはその他の形状の磁性材を前記印刷用紙に付することにより前記識別情報を付与することを特徴とする。
【００１７】
また、請求項８の発明は、請求項５の発明の印刷装置において、前記複数の識別情報は、それぞれ同一であることを特徴とする。
【００１８】
また、請求項９の発明の印刷用紙は、印刷装置により所望の情報が印刷される印刷用紙であって、複数の識別情報がそれぞれ異なる位置に付されていることを特徴とする。
【００１９】
また、請求項１０の発明は、請求項９の発明の印刷用紙において、前記複数の識別情報は、該印刷用紙の搬送方向に読出し可能な位置に付された第１の識別情報と、該印刷用紙の搬送方向と直交する方向に読出し可能な位置に付された第２の識別情報とを含むことを特徴とする。
【００２０】
また、請求項１１の発明は、請求項９の発明の印刷用紙において、前記複数の識別情報は、漉き込まれた細線状もしくは薄膜状もしくはその他の形状の磁性材により形成されることを特徴とする。
【００２１】
また、請求項１２の発明は、請求項９の発明の印刷用紙において、前記複数の識別情報は、それぞれ同一であることを特徴とする。
【００２２】
また、請求項１３の発明の情報読取装置は、複数の識別情報がそれぞれ異なる位置に付された印刷用紙に印刷された情報を読み取る情報読取装置であって、前記印刷用紙から該印刷装置に印刷された情報を読み取る情報読取手段と、前記情報読取手段による前記印刷用紙からの情報の読取に際して、該印刷用紙に付された複数の識別情報の内の少なくとも１つの識別情報を読み出す識別情報読出手段と、前記情報読取手段により読み取った情報と前記識別情報読取手段で読み取った識別情報とを比較して該印刷用紙に印刷された情報の正当性を判別する判別手段とを具備することを特徴とする。
【００２３】
また、請求項１４の発明は、請求項１３の発明の情報読取装置において、前記印刷用紙は、該印刷用紙の搬送方向に読出し可能な位置に付された第１の識別情報と、該印刷用紙の搬送方向と直交する方向に読出し可能な位置に付された第２の識別情報とが少なくとも付されていることを特徴とする。
【００２４】
また、請求項１５の発明は、請求項１３の発明の情報読取装置において、前記複数の識別情報は、前記印刷用紙に漉き込まれた細線状もしくは薄膜状もしくはその他の形状の磁性材により前記印刷用紙に付されていることを特徴とする。
【００２５】
また、請求項１６の発明は、請求項１３の情報読取装置において、前記複数の識別情報は、それぞれ同一であることを特徴とする。
【００２６】
【発明の実施の形態】
以下、この発明に係わる印刷装置および印刷用紙および情報読取装置の実施の形態を添付図面を参照して詳細に説明する。
【００２７】
図１は、この発明に係わる印刷装置および印刷用紙および情報読取装置を適用した印刷装置および印刷用紙の実施の形態を示すブロック図である。
【００２８】
図１において、この印刷装置１００は、用紙サイズの異なる印刷用紙がそれぞれ蓄積された給紙トレイ５０ａ、５０ｂと、この給紙トレイ５０ａ、５０ｂに蓄積された印刷用紙を給紙する給紙ローラ５１ａ、５１ｂと、給紙された印刷用紙１０を印刷部３０へ搬入する搬入ローラ６０ａ、６０ｂと、搬入ローラ６０ａ、６０ｂと印刷部３０との間に配置された磁気センサー２０と、印刷用紙１０へコンテンツを印刷する印刷部３０と、印刷部３０によってコンテンツが印刷された印刷出力紙を排紙する搬出ローラ６１ａ、６１ｂと、印刷装置１００全体を制御する制御装置４０とを具備している。
【００２９】
この印刷装置１００は、図示せぬユーザによって指定された印刷用紙のサイズに応じて給紙トレイ５０ａ、５０ｂのいずれかが選択され、選択された給紙トレイ５０ａ、５０ｂのいずれかの給紙ローラ５１ａ、５１ｂによって印刷用紙１０が搬入ローラ６０ａ、６０ｂへ給紙される。
【００３０】
給紙された印刷用紙１０は、搬入ローラ６０ａ、６０ｂによって印刷部３０へ搬送される途上において、磁気センサー２０により印刷用紙１０の識別情報が走査され読み取られる。
【００３１】
印刷部３０に搬送された印刷用紙１０は、印刷部３０において、所望のコンテンツが印刷され、搬出ローラ６１ａ、６１ｂによって排紙されるとともに、磁気センサー２０で読み取った印刷用紙１０の識別情報とコンテンツとを対応つけてサーバ７０に記憶管理するように構成されている。
【００３２】
ところで、この実施の形態における印刷用紙および印刷装置においては、この印刷装置を用いて印刷出力するコンテンツと印刷用紙とを対応つけて記憶管理するために、予め印刷用紙固有の識別情報が付与された印刷用紙が用いられるように構成されている。
【００３３】
また、印刷装置１００は、この印刷用紙の識別情報を読み取るための磁気センサー２０を具備している。
識別情報は、例えば、磁性材で形成されており、印刷用紙の特定を可能とする識別情報が印刷用紙１０に漉き込まれている。
【００３４】
この識別情報は、磁気センサー２０が印刷用紙１０の搬送方向と、搬送方向とは直交する方向とから走査して読み取れるように印刷用紙１０に付与されている。
【００３５】
搬入ローラ６０ａ、６０ｂによって搬送された印刷用紙１０は、搬入ローラ６０ａ、６０ｂと印刷部３０との間に配置された磁気センサー２０によって走査されて、印刷用紙に付与された識別情報が読み取られる。
【００３６】
読み取られた識別情報は、制御部４０へ入力され、制御部４０が識別情報と印刷部３０で印刷するコンテンツとを対応つけた図示せぬ管理テーブルを作成してサーバ７０に記憶管理する。
【００３７】
このような構成とすることにより、この印刷装置１００で印刷するコンテンツとこのコンテンツを印刷する印刷用紙とを管理することが可能となる。
【００３８】
図２は、図１に示した印刷装置１００の磁気センサー２０の要部の構成を示す斜視図である。
【００３９】
なお、図２において、図１に示した印刷装置と同一の機能を果たす部分には、説明の便宜上図１で用いた符号と同一の符号を付する。
【００４０】
図２に示すように、磁気センサー２０は、搬入ローラ６０ａ、６０ｂから搬入された印刷用紙２００の搬送方向（矢印付実線２０１の方向）とは直交する方向（矢印付実線２０２、２０３の方向）に移動可能なように印刷装置１００に配設されて構成されている。
【００４１】
このような構成とすることにより、印刷用紙２００の搬送と磁気センサー２０の移動とを制御して、印刷用紙２００の識別情報を読み取ることが可能となる。
【００４２】
図３は、この実施の形態における識別情報が付与された印刷用紙の一例を示す図である。
【００４３】
図３（ａ）は、印刷用紙３００の表面の縦方向とした位置を示す図である。
【００４４】
図３（ａ）に示すように、印刷用紙３００は、縦の長さ（＝高さ）がＬ、横の長さ（＝幅）がＭの大きさの印刷用紙３００であり、同一内容の識別情報を磁性材で細線状に形成した識別情報３０１および３０２が付与されている。
【００４５】
この識別情報３０１および３０２は、複数の長さの等しい磁性材の細線を印刷用紙３００の識別情報に応じた間隔で並べて形成してある。
【００４６】
例えば、識別情報３０１は、複数の磁性材の細線がそれぞれ搬送方向（矢印付実線３０９）とは直交するような方向で、識別情報に応じた間隔を（矢印付実線３０７の方向へ）保ちながら印刷用紙３００の仮想的な直線３０３上の位置に形成されており、識別情報３０２は、複数の磁性材の細線がそれぞれ搬送方向（矢印付実線３０９）とは平行な方向で、識別情報に応じた間隔を（矢印付実線３０８の方向へ）保ちながら印刷用紙３００の仮想的な直線３０６上の位置に形成されている。
【００４７】
なお、この仮想的な直線３０３および３０６は、識別情報３０１および３０２の形成されている位置を説明するために便宜上用いた直線であり、直線３０６は印刷用紙３００の縦の長さＬを２等分する破線３０５および破線３０６のうちの破線３０６と、直線３０３は、印刷用紙３００の横の長さＭを２等分する破線３０３および破線３０４のうちの破線３０３である。
【００４８】
上述の如く印刷用紙３００上に形成された識別情報３０１および識別情報３０２は、磁気センサー２０が印刷用紙３００の搬送方向（矢印付実線３０９）とは平行な方向（両矢印付実線３１３）と、搬送方向とは直交する方向（両矢印付実線３１４）とから走査することにより、識別情報３０１および識別情報３０２の磁気パターンを読み取ることができる。
【００４９】
なお、この図３（ａ）に示した印刷用紙３００の例では、識別情報３０１および識別情報３０２が形成されている位置を印刷用紙３００の二等分線３０３、３０６上のそれぞれの位置とした例を示したが、識別情報が印刷用紙３００の搬送方向と、搬送方向とは直交する方向とから読み取り可能なように形成されていれば、識別情報の位置は印刷用紙３００の任意の位置でもよい。
【００５０】
識別情報の任意の位置としては、例えば印刷用紙３００の二等分線３０３、３０４、３０５、３０６の十字状の仮想的な線上もしくは印刷用紙３００の全面のすべての位置でもよい。
【００５１】
図３（ｂ）は、図３（ａ）に示した印刷用紙３００の識別情報３０１の磁気パターン３１５を示す図であり、図３（ｃ）は、識別情報３０２の磁気パターン３１６を示す図である。
【００５２】
なお、図３（ｂ）および図３（ｃ）に示したそれぞれの磁気パターン３１５、３１６は、図３（ａ）に示した印刷用紙３００において、識別情報３０１が矢印付破線３０７の方向から記録された磁気パターンでり、識別情報３０２が矢印付破線３０８の方向から記録された磁気パターンである。
【００５３】
図３（ａ）、図３（ｂ）、図３（ｃ）に示すように、同一印刷用紙３００には、同一の磁気パターンの識別情報３０１および識別情報３０２が記録されており、磁気センサー２０が走査する方向と識別情報３０１および識別情報３０２のそれぞれが記録されている方向とが同一方向の場合には、識別情報３０１の磁気パターン３１５および識別情報３０２の磁気パターン３１６と同一の磁気パターンの信号を磁気センサー２０が読み取る。
【００５４】
図３（ｄ）は、図３（ａ）に示した印刷用紙３００を表面の横方向（時計回りに９０度回転）に転置した場合の印刷用紙３００を示す図である。
【００５５】
図３（ｅ）は、図３（ｄ）に示すような方向の位置とした印刷用紙３００を磁気センサー２０が印刷用紙３００の識別情報３０１を走査し読み取る磁気パターン３１７を示し、図３（ｆ）は、磁気センサー２０が読み取る識別情報３０２の磁気パターン３１８を示す図である。
【００５６】
図３（ｄ）に示すように、印刷用紙３００が表面、横方向の位置の場合においては、磁気センサー２０が識別情報３０１を読み取る方向（矢印付実線３１２）と識別情報３０１が記録されている方向（矢印付実線３０７）とはそれぞれ逆方向であり、磁気センサー２０は、識別情報３０１を図３（ｅ）に示すような磁気パターンの信号として読み取る。  また、磁気センサー２０が識別情報３０２を読み取る方向（矢印付実線３１０）と識別情報３０２が記録されている方向（矢印付実線３０６）とはそれぞれ逆方向であり、磁気センサー２０は、識別情報３０２を図３（ｆ）に示すような磁気パターンの信号として読み取る。
【００５７】
図３（ａ）、図３（ｂ）、図３（ｃ）、図３（ｄ）、図３（ｅ）に示すように、印刷用紙３００を表面の縦方向（図（ａ）参照）の位置とした場合の磁気センサー２０が読み取る磁気パターン３１５、３１６と印刷用紙３００を表面の横方向（図（ｂ）参照）の位置とした場合のセンサー２０が読み取る磁気パターン３１７、３１８とでは、それぞれ反転した磁気パターンとして磁気センサー２０は読み取る。
【００５８】
しかし、これらの磁気パターン３１５、３１６、３１７、３１８は、磁気センサー２０が識別情報３０１および３０２を読み取る方向と識別情報３０１および識別情報３０２が記録されている方向とに応じて一義的に特定できる磁気パターンである。
【００５９】
したがって、磁気センサー２０がこれらの識別情報を読み取る方向に応じて磁気パターンを認識できるようにすることで、印刷用紙３００を縦、横のいずれの位置とした場合においても、印刷用紙３００の識別情報を読み取ることが可能となる。
【００６０】
図４は、図１に示した印刷装置の磁気センサー２０が、図３に示した印刷用紙に付与された識別情報３０１、３０２を読み取る場合の動作を説明する図である。
【００６１】
図４（ａ）は、表面の縦方向の位置とする印刷用紙３００の識別情報３０１、３０２を読み取る場合の磁気センサー２０の動作を示し、図４（ｂ）は、表面の横方向の位置とする印刷用紙３００の識別情報３０１、３０２を読み取る場合の磁気センサー２０の動作を示す図である。
【００６２】
なお、図４（ａ）、図４（ｂ）において印刷用紙３００上の位置Ａ、Ｂ、Ｃ、Ｄ、Ｅに付した黒点は、説明のために便宜上付したものであり、印刷用紙３００には存在しない仮想的な印である。
【００６３】
図４（ａ）に示すように、磁気センサー２０は、搬入ローラ６０ａ、６０ｂから搬入された印刷用紙３００の用紙サイズに応じてセンサー格納位置Ａからセンサー設定位置Ｂへ移動し停止する。
【００６４】
ここでいうセンサー格納位置Ａとは、磁気センサー２０が印刷用紙を走査している時以外の通常格納されている磁気センサー２０の所定の位置であり、センサー設定位置Ｂとは、印刷用紙３００の搬送方向とは直交する方向の印刷用紙３００の長さＭに応じて、この長さＭを二等分する線上の搬送方向の最前の位置をいう。
【００６５】
センサー設定位置Ｂへ到達した磁気センサー２０は、搬入ローラ６０ａ、６０ｂの回転により印刷用紙３００が搬送方向（矢印付実線４０１の方向）へ搬送され、印刷用紙３００の搬送によって磁気センサー２０が印刷用紙３００のセンサー設定位置Ｂから印刷用紙３００の略中心位置Ｃまでを走査して識別情報３０１の磁気パターンを読み取る。
【００６６】
このとき磁気センサー２０によって読み取られる識別情報３０１の磁気パターンは、図３（ｂ）に示したような磁気パターンとなる。
【００６７】
磁気センサー２０が印刷用紙３００の略中心位置Ｃに到達すると、印刷用紙３００の搬送が停止され、印刷用紙３００が搬送された方向（矢印付実線４０１の方向）とは直交する方向へ磁気センサー２０が移動しながら走査して識別情報３０２の磁気パターンを読み取る。
【００６８】
このとき磁気センサー２０によって読み取られる識別情報３０２の磁気パターンは、図３（ｃ）に示したような磁気パターンとなる。
【００６９】
磁気センサー２０が識別情報３０２の読み取りを終了し、印刷用紙３００の略中心位置Ｃまで戻ると印刷用紙３００の搬送が開始される。
【００７０】
識別情報３０１および識別情報３０２を読み取った磁気センサー２０は、センサー格納位置Ａへ戻り印刷用紙３００の識別情報の読み取りを終了する。
【００７１】
次に、図４（ｂ）に示した表面の横方向の位置とした印刷用紙３００の識別情報３０１、３０２を読み取る場合の磁気センサー２０の動作について説明する。
【００７２】
図４（ｂ）に示すように、磁気センサー２０は、搬入ローラ６０ａ、６０ｂから搬入された印刷用紙３００の用紙サイズに応じてセンサー格納位置Ａからセンサー設定位置Ｄへ移動し停止する。
【００７３】
ここでいうセンサー設定位置Ｄとは、印刷用紙３００の搬送方向とは直交する方向の印刷用紙３００の長さＬに応じて、この長さＬを二等分する線上の搬送方向の最前の位置をいう。
【００７４】
センサー設定位置Ｄへ到達した磁気センサー２０は、搬入ローラ６０ａ、６０ｂの回転により印刷用紙３００が搬送方向（矢印付実線４０１の方向）へ搬送され、印刷用紙３００の搬送によって磁気センサー２０が印刷用紙３００のセンサー設定位置Ｄから印刷用紙３００の略中心位置Ｃまでを走査して識別情報３０２の磁気パターンを読み取る。
【００７５】
このとき磁気センサー２０によって読み取られる識別情報３０２の磁気パターンは、図３（ｆ）に示したような磁気パターンとなる。
【００７６】
磁気センサー２０が印刷用紙３００の略中心位置Ｃに到達すると、印刷用紙３００の搬送が停止され、印刷用紙３００が搬送された方向（矢印付実線４０１の方向）とは直交する方向へ磁気センサー２０が移動しながら走査して識別情報３０１の磁気パターンを読み取る。
【００７７】
このとき磁気センサー２０によって読み取られる識別情報３０１の磁気パターンは、図３（ｅ）に示したような磁気パターンとなる。
【００７８】
磁気センサー２０が識別情報３０１の読み取りを終了し、印刷用紙３００の略中心位置Ｃまで戻ると印刷用紙３００の搬送が開始される。
【００７９】
識別情報３０１および識別情報３０２を読み取った磁気センサー２０は、センサー格納位置Ａへ戻り印刷用紙３００の識別情報の読み取りを終了する。
【００８０】
図４（ａ）および図４（ｂ）に示すように、印刷用紙３００の搬送と磁気センサー２０の移動との制御により、印刷用紙３００の縦方向（図４（ａ）参照）と横方向（図４（ｂ）参照）とのいずれの位置の場合においても、磁気センサー２０が識別情報３０１、３０２を読み取ることができる。
【００８１】
なお、図４に示したような例では、磁気センサー２０が印刷用紙３００の搬送方向とは平行な方向と、搬送方向とは直交する方向とを走査可能とするように構成されているが、印刷用紙３００の搬送方向のみを走査するような構成としてもよい。
【００８２】
図５は、印刷用紙の縦横、表裏、上下のそれぞれの方向の位置で搬送された場合の磁気センサーが識別情報を読み取る方法を示す図である。
【００８３】
なお、図５において、矢印付破線５０３、５０４は、印刷用紙の識別情報５０１、５０２のそれぞれの磁気パターンが記録されている方向を示し、矢印付実線５０５は、印刷用紙５００の搬送方向を示し、矢印付実線５０６、５０７、５０８は、磁気センサー２０が印刷用紙５００を走査する方向を示している。
【００８４】
図５（ａ）は、印刷用紙５００が表面の縦方向とした位置を示す図である。
【００８５】
図５（ｂ）は、図５（ａ）に示した印刷用紙５００の位置を表面のまま１８０度転置させた（表面のまま上下の位置を、逆の方向に位置させる）位置を示す図である。
【００８６】
図５（ｃ）および図５（ｄ）は、図５（ａ）に示した印刷用紙５００を縦方向の裏面とし、その裏面の上下のそれぞれの位置を示す図である。
【００８７】
図５（ｅ）および図５（ｆ）は、図５（ａ）に示した印刷用紙５００を表面のまま９０度転置させた位置（表面の横方向とした位置）を示す図である。
【００８８】
図５（ｇ）および図５（ｈ）は、図５（ａ）に示した印刷用紙５００表面のまま９０度転置させ（表面の横方向とした位置）、更に裏面とした位置を示す図である。
【００８９】
図５（ａ）に示すような方向とした位置の印刷用紙５００は、識別情報５０１の記録されている方向（矢印付破線５０３）と磁気センサー２０が読み取る方向（矢印付実線５０６）とが同一方向であり、識別情報５０２の記録されている方向（矢印付破線５０４）と磁気センサー２０が読み取る方向（矢印付実線５０７）とが同一方向である。
【００９０】
このことから、図５（ａ）に示すような方向とした位置の印刷用紙５００では、磁気センサー２０は、識別情報５０１、５０２の磁気パターンと同一の磁気パターンの信号を読み取ることができる。
【００９１】
図５（ｂ）に示すような方向とした位置の印刷用紙５００は、識別情報５０１の記録されている方向（矢印付破線５０３）と磁気センサー２０が読み取る方向（矢印付実線５０６）とが逆方向であり、識別情報５０２の記録されている方向（矢印付破線５０４）と磁気センサー２０が読み取る方向（矢印付実線５０８）とが同一方向である。
【００９２】
このことから、図５（ｂ）に示すような方向とした位置の印刷用紙５００では、磁気センサー２０が読み取る識別情報５０１、５０２のそれぞれの磁気パターンの信号は、識別情報５０１は識別情報５０１の磁気パターンを反転させた磁気パターンの信号として読み取り、識別情報５０２は識別情報５０２の磁気パターンと同一の磁気パターンの信号として読み取る。
【００９３】
同様に図５（ｃ）、図５（ｄ）、図５（ｅ）、図５（ｆ）、図５（ｇ）、図５（ｈ）のそれぞれの方向の位置とした印刷用紙５００において、識別情報５０１および識別情報５０２を磁気センサー２０が読み取る方向（矢印付実線５０６、５０７、５０８）と識別情報５０１、５０２がそれぞれ記録されている方向（矢印付破線５０３、５０４）との関係から、磁気センサー２０が読み取るそれぞれの識別情報５０１、５０２の磁気パターンの信号を記憶し、記憶したこれら識別情報５０１、５０２の磁気パターンの信号と磁気センサー２０が読み取った磁気パターンの信号とを照合して印刷用紙３００に付与された識別情報を特定することができる。
【００９４】
このように印刷用紙５００の縦横、表裏、上下の方向のそれぞれの位置に応じて磁気センサー２０が読み取る識別情報５０１、５０２のそれぞれの磁気パターンの信号を予め記憶管理することにより、印刷用紙５００の縦横、表裏、上下の方向のいずれの位置で印刷装置および情報読取装置へ搬送された場合であっても、識別情報を確実に読み取り、読み取った識別情報を特定することができる。
【００９５】
図６は、図１に示した印刷装置の動作を示すフローチャートである。
【００９６】
図１に示した印刷装置の動作について図６を参照しながら、以下に説明する。
【００９７】
図示せぬユーザが印刷指示端末８０から所望のコンテンツと印刷用紙のサイズを指定して印刷指示すると、コンテンツと印刷用紙のサイズの信号がネットワーク９０を介して印刷装置１００の制御部４０へ入力される。
【００９８】
制御部４０が入力された印刷用紙サイズに応じて給紙トレイ５０ａ、５０ｂのいずれかを選択し、選択された給紙トレイ５０ａ、５０ｂのいずれかの給紙ローラ５１ａ、５１ｂから印刷用紙１０が搬入ローラ６０ａ、６０ｂへ給紙される。
【００９９】
制御部４０の制御によりセンサー２０が印刷用紙１０の用紙サイズに応じたセンサー設定位置へ移動する（ステップ６０１）。
【０１００】
搬入ローラ６０ａ、６０ｂの回転により印刷用紙１０が印刷用紙１０の搬送方向へ移動し、この印刷用紙１０の移動により磁気センサー２０がセンサー設定位置から印刷用紙１０の略中心位置まで識別情報を読み取る（ステップ６０２）。
【０１０１】
なお、磁気センサー２０がセンサー設定位置から印刷用紙１０の略中心位置までの間に識別情報を読み取ったか否かの信号を制御部４０が生成し、図示せぬメモリーに記憶管理する。
【０１０２】
また、磁気センサー２０が印刷用紙１０の略中心位置まで到達したか否かの判断は、例えば用紙サイズや搬入ローラ６０ａ、６０ｂの回転速度、搬送時間等の情報に基づいて制御装置４０が判断制御する。
【０１０３】
磁気センサー２０が印刷用紙１０の略中心位置に到達すると（ステップ６０３でＹＥＳ）、制御部４０の指示により印刷用紙１０の搬送を停止し（ステップ６０４）、印刷用紙１０の搬送方向とは直交する方向の印刷用紙１０の識別情報を読み取る（ステップ６０５）。
【０１０４】
磁気センサー２０が印刷用紙１０の搬送方向とは直交する方向の識別情報の読み取りを終了（ステップ６０６でＹＥＳ）し、磁気センサー２０が印刷用紙１０の略中心位置に到達すると、制御部４０の指示により印刷用紙１０の搬送を再び開始する（ステップ６０７）。
【０１０５】
磁気センサー２０によって読み取られた識別情報は、制御部４０へ入力されて、制御部４０が印刷用紙１０の識別情報と印刷用紙１０に印刷するコンテンツとを対応つけた管理情報を作成してサーバ７０の図示せぬデータベースへ記憶管理する（ステップ６０８）。
【０１０６】
印刷用紙１０の識別情報と印刷用紙１０に印刷するコンテンツとを対応付けは、例えば識別情報とコンテンツのファイル名や文書名等を１対１に対応付けたテーブル等を作成してサーバ７０の図示せぬデータベース等に記憶管理する。
【０１０７】
管理情報がサーバ７０に記憶管理されると、印刷部３０において、印刷用紙１０にコンテンツが印刷され（ステップ６０９）、コンテンツの印刷された印刷出力紙が搬送ローラ６１ａ、６１ｂによって排紙される（ステップ６１０）。
【０１０８】
上述の如く、図１に示したような実施の形態においては、印刷用紙固有の識別情報を磁性材で形成し、この磁性材で形成された識別情報を磁気センサーで読み取るように構成した例を示してあるが、識別情報を光学的なパターンで形成して印刷用紙の表裏の両面に付与し、この付与された光学的なパターンの識別情報を光センサー等で読み取るようにしてもよい。
【０１０９】
図７は、この発明に係わる印刷装置および印刷用紙および情報読取装置を適用した印刷装置および印刷用紙の他の実施の形態を示すブロック図である。
【０１１０】
なお、図７において、図１に示した印刷装置および印刷用紙と同様の機能を果たす部分には、説明の便宜上、図１で用いた符号と同一の符号を付す。
【０１１１】
図７において、この印刷装置１０１は、用紙サイズの異なる印刷用紙がそれぞれれ蓄積された給紙トレイ５０ａ、５０ｂと、この給紙トレイ５０ａ、５０ｂに蓄積された印刷用紙を給紙する給紙ローラ５１ａ、５１ｂと、給紙された印刷用紙１１を印刷部３０へ搬入する搬入ローラ６０ａ、６０ｂと、搬入ローラ６０ａ、６０ｂと印刷部３０との間に配置された着磁ヘッド２１と、印刷用紙１１へコンテンツを印刷する印刷部３０と、印刷部３０によってコンテンツが印刷された印刷出力紙を排紙する搬出ローラ６１ａ、６１ｂと、印刷装置１０１全体を制御する制御装置４１とを具備している。
【０１１２】
印刷部３０に搬送された印刷用紙１１は、印刷部３０において、所望のコンテンツが印刷され、搬出ローラ６１ａ、６１ｂによって排紙されるとともに、着磁ヘッド２１で印刷用紙１１へ印刷用紙１１の固有の識別情報を記録し、この記録した識別情報とこの識別情報が記録された印刷用紙１１へ印刷するコンテンツとを対応つけてサーバ７０に記憶管理するように構成されている。
【０１１３】
ところで、この実施の形態における印刷装置１０１および印刷用紙１１においては、この印刷装置を用いて印刷出力するコンテンツと印刷用紙とを対応つけて記憶管理するために、印刷用紙固有の識別情報が記録できるように予め磁性材で薄膜状に形成された識別情報記録媒体８０１、８０２が付与されており、この識別情報記録媒体８０１、８０２は、印刷用紙１１を識別可能とする固有の識別情報が記録できるように構成されている。
【０１１４】
また、印刷装置１０１は、この印刷用紙１１の識別情報記録媒体８０１、８０２に印刷用紙固有の識別情報を記録するための着磁ヘッド２１を具備している。
【０１１５】
識別情報記録媒体８０１、８０２は、例えば、磁性材で薄膜状に形成されており、印刷用紙１１に付与する識別情報を着磁ヘッド２１を用いて識別情報に応じて着磁して記録可能とするように印刷用紙１１に漉き込まれている。
【０１１６】
更に識別情報記録媒体８０１、８０２に記録する識別情報は、着磁ヘッド２１が印刷用紙１１の搬送方向と、搬送方向とは直交する方向とから識別情報記録媒体８０１、８０２のそれぞれへ記録し、記録した識別情報が磁気センサー等で読み取れるように印刷用紙１１に形成されている。
【０１１７】
さて、この実施の形態の印刷装置１０１および印刷用紙１１は、印刷装置１０１の給紙トレイ５０ａ、５０ｂへ印刷用紙１１を表裏、縦横、上下のいずれの方向の位置で搬送された場合においても、印刷装置１０１の着磁ヘッド２１が、印刷用紙１１の識別情報記録媒体８０１、８０２へ印刷用紙１１固有の識別情報が確実に記録できるように印刷用紙１１上に形成されており、着磁ヘッド２１によって記録した識別情報と当該識別情報が記録された印刷用紙１１に印刷するコンテンツとを対応付けてサーバ７０へ記憶管理するように動作するものである。
【０１１８】
この実施の形態の印刷装置１０１および印刷用紙１１は、図１に示した印刷用紙固有の識別情報が予め付与された印刷用紙１０を図示せぬユーザもしくは制御部４１の指示に基づいて印刷用紙固有の識別情報が記録できるように識別情報記録媒体８０１、８０２を付与した印刷用紙１１を用いるような構成とし、図１に示したような印刷装置１００の磁気センサー２０を印刷用紙１１の識別情報記録媒体８０１、８０２へ識別情報を記録するための着磁ヘッド２１へ置き換えた他は、図１に示した印刷装置および印刷用紙の構成と同様であり、図１と同様な構成については説明を省略する。
【０１１９】
図８は、図７に示した印刷装置および印刷用紙における印刷用紙の一例を示す図である。
【０１２０】
図８に示すように、印刷用紙８００には、印刷用紙８００固有の識別情報を記録するための識別情報記録媒体８０１、８０２が磁性材で薄膜状に形成されている。
【０１２１】
なお、図８に示した印刷用紙８００は、印刷用紙８００の表面の縦方向とした位置を示すものとする。
【０１２２】
図８に示すように、印刷用紙８００は、印刷用紙８００の縦の長さ（＝高さ）がＬ、横の長さ（＝幅）がＭの大きさの用紙であり、印刷用紙８００上には、印刷用紙８００の固有の識別情報に応じて着磁して記録可能な識別情報記録媒体８０１、８０２が形成されている。
【０１２３】
印刷用紙８００上に形成された識別情報記録媒体８０１、８０２の位置は、図３（ａ）に示した印刷用紙３００と同様に、印刷用紙８００の二等分線８０３、８０６上のそれぞれの位置に形成してある。
【０１２４】
なお、この図８に示した印刷用紙８００の例では、識別情報記録媒体８０１、８０２の位置を印刷用紙８００の二等分線８０３、８０６上のそれぞれの位置とした例を示しているが、識別情報記録媒体８０１、８０２に着磁して記録した識別情報が印刷用紙８００の搬送方向と、搬送方向とは直交する方向から図１に示したような磁気センサー２０で読み取り可能なように記録されていれば、識別情報記録媒体８０１、８０２の位置は印刷用紙８００の任意の位置でもよい。
【０１２５】
図９は、図７に示した印刷装置の動作を示すフローチャートである。
【０１２６】
図７に示した印刷装置の動作について図９を参照しながら、以下に説明する。
【０１２７】
図示せぬユーザが印刷指示端末８０から所望のコンテンツと印刷用紙のサイズおよび印刷用紙の識別情報を指定して印刷指示すると、コンテンツと印刷用紙のサイズおよび識別情報の信号がネットワーク９０を介して印刷装置１００の制御部４１へ入力される（ステップ９００）。
【０１２８】
制御部４１が入力された印刷用紙サイズに応じて給紙トレイ５０ａ、５０ｂのいずれかを選択し、選択された給紙トレイ５０ａ、５０ｂのいずれかの給紙ローラ５１ａ、５１ｂから印刷用紙１１が搬入ローラ６０ａ、６０ｂへ給紙される。
【０１２９】
制御装置４１の制御により磁着ヘッド２１が印刷用紙１１の用紙サイズに応じた磁着ヘッド設定位置へ移動する（ステップ９０１）。
【０１３０】
なお、着磁ヘッド設定位置とは、印刷用紙１１の搬送方向とは直交する方向の印刷用紙１１の長さを二等分する位置である。
【０１３１】
搬入ローラ６０ａ、６０ｂの回転により印刷用紙１１が印刷用紙１１の搬送方向へ移動し、この印刷用紙１１の移動により着磁ヘッド２１が着磁ヘッド設定位置から印刷用紙１１の略中心位置までに移動しながら図示せぬユーザによって指定された識別情報を識別情報記録媒体へ記録する（ステップ９０２）。
【０１３２】
なお、着磁ヘッド２１が着磁ヘッド設定位置から印刷用紙１１の略中心位置までの間に識別情報を記録したか否かの信号を制御部４１が生成し、図示せぬメモリーに記憶管理する。
【０１３３】
また、着磁ヘッド２１が印刷用紙１１の略中心位置まで到達したか否かの判断は、例えば用紙サイズや搬入ローラ６０ａ、６０ｂの回転速度、搬送時間等の情報に基づいて制御装置４１が判断制御する。
【０１３４】
着磁ヘッド２１が印刷用紙１１の略中心位置に到達すると（ステップ９０３でＹＥＳ）、制御部４１の指示により印刷用紙１１の搬送が停止され（ステップ９０４）、印刷用紙１１が搬送された方向とは直交する方向へ形成された識別情報記録媒体へ識別情報を記録する（ステップ９０５）。
【０１３５】
着磁ヘッド２１が識別情報の記録を終了（ステップ９０６でＹＥＳ）し、印刷用紙１１の略中心位置に到達すると、制御部４１の指示により印刷用紙１１の搬送が再び開始する（ステップ９０７）。
【０１３６】
着磁ヘッド２１によって識別情報記録媒体へ記録された識別情報は、この識別情報と印刷用紙１１に印刷するコンテンツとを対応つけた管理情報を作成してサーバ７０に記憶管理する（ステップ９０８）。
【０１３７】
印刷用紙１１の識別情報と印刷用紙１１に印刷するコンテンツとを対応付けは、例えば識別情報とコンテンツのファイル名や文書名等を１対１に対応付けたテーブル等を作成してサーバ７０の図示せぬデータベース等に記憶管理する。
【０１３８】
管理情報がサーバ７０に記憶管理されると、印刷部３０において、印刷用紙１１にコンテンツが印刷され、コンテンツの印刷された印刷出力紙が搬送ローラ６１ａ、６１ｂによって排紙される（ステップ９１０）。
【０１３９】
図１０は、この発明に係わる印刷装置および印刷用紙および情報読取装置を適用した印刷用紙および情報読取装置の実施の形態を示すブロック図である。
【０１４０】
この実施の形態においては、本発明に係わる印刷用紙にコンテンツが印刷された原稿を情報読取装置で読み取り、原稿の印刷用紙に形成されている識別情報と、この印刷用紙に印刷されたコンテンツとの正当性を判別し、これら読み取った情報や判別結果を記憶管理する場合を想定した例を示したものである。
【０１４１】
図１０（ａ）は情報読取装置の要部の構成を示す側面図であり、図１０（ｂ）は図１０（ａ）に示した情報読取装置の磁気センサーと画像読み取りセンサーとの要部の構成を示す斜視図である。
【０１４２】
図１０（ａ）、図１０（ｂ）に示すように、この情報読取装置１０３は、原稿１２に光を当てながら走査して、その原稿１２からの反射光の強度を信号に変換して画像が読み取れるように、光源２８と、ＣＣＤ（＝Ｃｈａｒｇｅ  Ｃｏｕｐｌｅ  Ｄｅｖｉｃｅ）等の受光素子２７とを一体に収容した画像読み取りセンサー２５と、画像読み取りセンサー２５と連結された移動ベルト６５を介して画像読み取りセンサー２５が原稿１２の走査を可能とする駆動モータ６３とを具備している。
原稿１２の印刷用紙に付与された識別情報は、磁気センサー２０で読み取り可能であり、この情報読取装置１０３は、磁気センサー２０と、磁気センサー２０の移動を自在とする駆動モータ６２ａおよび駆動モータ６２ｂと、これら駆動モータ６２ａ、６２ｂと磁気センサー２０とをそれぞれ連結させた移動ベルト６４ａおよび移動ベルト６４ｂと、これらの駆動モータ６２ａ、６２ｂ、６３を制御する駆動制御部４５と、情報読取装置１０３全体を制御する制御部４２とを具備している。
【０１４３】
磁気センサー２０の移動自在な方向は、図１０（ｂ）に示すような矢印付実線１００２、１００３、１００４の方向であり、画像読み取りセンサー２５の走査方向は、矢印付実線１００５の方向である。
【０１４４】
なお、これらの矢印方向とは逆方向へ戻ることも可能である。
【０１４５】
原稿台１５へ設置された原稿１２は、磁気センサー２０が原稿１２の印刷用紙に付与れている固有の識別情報を読み取り、画像読み取りセンサー２５が原稿１２に印刷されたコンテンツを読み取って、磁気センサー２０が読み取った識別情報と画像読み取りセンサー２５が読み取ったコンテンツとを比較判別するとともに、これらの読み取った情報と判別結果をサーバ７０に記憶管理するように構成されている。
【０１４６】
例えば、原稿台１５へ設置された原稿１２は、まず磁気センサー２０が原稿１２の印刷用紙に付与れている固有の識別情報を読み取り、磁気センサー２０が磁気センサー２０のセンサー格納位置へ移動後、画像読み取りセンサー２５が原稿１２を走査して原稿１２のコンテンツを読み取る。
【０１４７】
磁気センサー２０および情報読取装置２５によって読み取った識別情報とコンテンツとが制御部４２へ入力され、識別情報と当該識別情報の付された印刷用紙に印刷されたコンテンツとが例えば不正印刷されることなく正しく印刷されたものであるか否かを判別し、これらの識別情報やコンテンツおよび判別結果等の管理テーブルを作成してサーバ７０へ記憶管理する。
【０１４８】
読み取った識別情報とコンテンツとの正当性は、正規の識別情報とコンテンツとが対応付けされて記憶管理されているサーバ７０の図示せぬデータベースを参照して行う。
【０１４９】
ところで、この実施の形態においては、この情報読取装置１０３を用いて読み取ったコンテンツとコンテンツが印刷されている印刷用紙の識別情報との正当性を判別するために、原稿１２は、予め印刷用紙固有の識別情報が付与された印刷用紙にコンテンツが印刷されているように構成されている。
【０１５０】
また、情報読取装置１０３は、この印刷用紙の識別情報を読み取るための磁気センサー２０を具備している。
【０１５１】
図１０に示した原稿の印刷用紙に付与された識別情報は、図３に示したような印刷用紙と同様な構成である。
【０１５２】
図１０に示した実施の形態における原稿１２の識別情報の読み取り方法について以下に説明する。
図１１は、図１０に示した磁気センサーが原稿の印刷用紙に形成された識別情報を読み取るまでの磁気センサーの動作を説明する図である。
【０１５３】
図１１に示すように、原稿１２は、識別情報１１０１と識別情報１１０２とが付与された印刷用紙１１００へコンテンツ１１０８が印刷されている。
【０１５４】
原稿台１５へ印刷用紙１１００の原稿が設置され、図示せぬユーザによって用紙サイズの選択と画像取り込みの指示が与えられると、制御部４２が印刷用紙１１００の中心線上の位置Ｂを特定して、駆動制御部４５へ指示して駆動モータ６２ｂを駆動する。
【０１５５】
駆動モータ６２ｂの駆動により磁気センサー２０をセンサー格納位置Ａからセンサー設定位置Ｂまで移動させる（矢印付実線１１０３）。
【０１５６】
磁気センサー２０が位置Ｂへ到着すると、駆動モータ６２ｂを停止させ、駆動モータ６２ａを駆動させて磁気センサー２０を印刷用紙１１００の略中心位置Ｃまで移動させながら識別情報１１０１を読み取る（矢印付実線１１０４）。
【０１５７】
磁気センサー２０が印刷用紙１１００の略中心の位置Ｃへ到着すると、駆動モータ６２ａを停止させ、駆動モータ６２ｂを駆動させて磁気センサー２０を印刷用紙１１００の情報読取装置２５の走査方向（矢印付実線１１０７）と平行な辺の位置Ｄまで移動させながら識別情報１１０２を読み取る（矢印付実線１１０５）。
【０１５８】
なお、印刷用紙１１００の略中心の位置Ｃから印刷用紙１１００の辺の位置Ｄまでに識別情報が付与されてなくて読み取れない場合には、位置Ｄとの対面の辺の位置Ｅまでを走査して識別情報を読み取る。
【０１５９】
磁気センサー２０が識別情報１１０１と識別情報１１０２との読み取りを終了すると、センサー格納位置Ａへ磁気センサー２０を移動させて識別情報の読み取りを終了する。
【０１６０】
図１２は、図１０に示した情報読取装置の動作を示すフローチャートである。
【０１６１】
図１０に示した情報読取装置の動作について、図１１および図１２を参照しながら、以下に説明する。
【０１６２】
図示せぬユーザが情報読取装置１０３の原稿台１５へ原稿１２を設定し、画像の読み取りを指示すると、制御部４２が原稿サイズに応じた磁気センサー２０のセンサー設定位置（図１１の位置Ｂ参照）を特定し、制御部４２の指示によって磁気センサー２０を用紙サイズに応じたセンサー設定位置Ｂへ移動する（ステップ１２０１）。
【０１６３】
磁気センサー２０がセンサー設定位置Ｂから印刷用紙１２００の略中心位置Ｃまで識別情報１１０１を読み取る（ステップ１２０２）。
【０１６４】
磁気センサー２０が印刷用紙１１００の略中心位置Ｃまで到達したか否かの判断は、例えば用紙サイズや磁気センサー２０の搬送時間等の情報に基づいて制御装置４２が判断制御する。
【０１６５】
磁気センサー２０が印刷用紙１１００の略中心位置Ｃに到達すると（ステップ１２０３でＹＥＳ）、センサー設定位置Ｂから印刷用紙１１００の略中心位置Ｃへの方向（図１１の矢印付実線１１０４）とは垂直な方向（矢印付実線１１０５）の識別情報１１０２を読み取り（ステップ１２０４、１２０５、１２０６）、磁気センサー２０をセンサー格納位置Ａ（図１１参照）の位置へ戻す（ステップ１２０７）。
【０１６６】
なお、磁気センサー２０のセンサー設定位置Ｂから印刷用紙１１００の略中心位置Ｃまでの移動は、駆動モータ６２ａを駆動し、センサー設定位置Ｂから印刷用紙１１００の略中心位置Ｃへの方向（図１１の矢印付実線１１０４）とは垂直な方向（矢印付実線１１０５）の移動は、駆動モータ６２ａを停止させ、駆動モータ６２ｂを駆動して移動させる。
【０１６７】
磁気センサー２０が読み取った識別情報１１０１および識別情報１１０２は、制御部４２へ入力される。
【０１６８】
磁気センサー２０がセンサー格納位置Ａの位置へ戻ると、画像読み取りセンサー２５が原稿１２を走査して原稿１２に印刷されているコンテンツ１１０８を読み取る（ステップ１２０８）。
【０１６９】
情報読取装置２５が読み取ったコンテンツ１１０８は、制御部４２へ入力され、制御部４２が識別情報ＩＤ１１０１および識別情報１１０２とコンテンツ１１０８との正当性を判別し、これらの読み取った情報や判別結果を管理テーブルを作成してサーバ７０の図示せぬデータベース等へ記憶管理する（ステップ１２０９）。
【０１７０】
【発明の効果】
以上説明したように、この発明によれば、複数の識別情報がそれぞれ異なる位置に付されている印刷用紙を用いて、この印刷用紙が縦横、表裏、上下のそれぞれの方向の位置で搬送された場合においても、複数の識別情報の内の少なくとも１つの識別情報を読み出し、読み出した識別情報と当該識別情報が付されている印刷用紙に印刷するコンテンツとを対応つけて管理し、更に、識別情報が複数付与された印刷用紙に印刷されたコンテンツを読み取り、読み取ったコンテンツと当該コンテンツの印刷された印刷用紙の識別情報とを比較判別するように構成したので、機密情報の漏洩を防止し、情報のセキュリティーが強化された印刷装置および印刷用紙および情報読取装置を安価に提供することができる。
【図面の簡単な説明】
【図１】この発明に係わる印刷装置および印刷用紙の一実施の形態を示すブロック図である。
【図２】図１に示した印刷装置の磁気センサーの要部の構成を示す斜視図である。
【図３】図１に示した印刷装置における印刷用紙の一例を示す図である
【図４】図１に示した印刷装置の磁気センサーが印刷用紙に付与された複数の識別情報を読み取る動作を説明する図である。
【図５】図３に示した印刷用紙を縦横、表裏、上下のそれぞれの方向の位置した場合において、磁気センサーが識別情報を読み取る方法を示す図である。
【図６】図１に示した印刷装置の動作を示すフローチャートである。
【図７】この発明に係わる印刷装置および印刷用紙の他の実施の形態を示すブロック図である。
【図８】図７に示した印刷装置における印刷用紙の一例を示す図である。
【図９】図７に示した印刷装置の動作を示すフローチャートである。
【図１０】この発明に係わる印刷用紙および情報読取装置の一実施の形態を示すブロック図である。
【図１１】図１０に示した情報読取装置の磁気センサーが印刷用紙に付与された複数の識別情報を読み取る動作を説明する図である。
【図１２】図１０に示した情報読取装置の動作を示すフローチャートである。
【符号の説明】
１０    印刷用紙
２０    磁気センサー
３０    印刷部
４０    制御部
５０ａ  給紙トレイ
５０ｂ  給紙トレイ
５１ａ  給紙ローラ
５１ｂ  給紙ローラ
６０ａ  搬入ローラ
６０ｂ  搬入ローラ
６１ａ  搬出ローラ
６１ｂ  搬出ローラ
７０    サーバ
８０    印刷指示端末
９０    ネットワーク
１００  印刷装置
【図１】
2004284053.tif 000003
【図２】
2004284053.tif 000004
【図３】
2004284053.tif 000005
【図４】
2004284053.tif 000006
【図５】
2004284053.tif 000007
【図６】
2004284053.tif 000008
【図７】
2004284053.tif 000009
【図８】
2004284053.tif 000010
【図９】
2004284053.tif 000011
【図１０】
2004284053.tif 000012
【図１１】
2004284053.tif 000013
【図１２】
2004284053.tif 000014